(57)【要約】【課題】複数の異なる態様で発光が可能な照明器具において、販売店用商品見本としても機能するサンプルモードを備えた照明器具を提供する。【解決手段】２つ以上の光源３、７、８を、２以上の異なる発光態様で点灯する点灯制御装置６と、所定の時間経過ごとに、複数の発光態様に順次切り替えて、光源３、７、８を点灯させる自動切替操作部５と、を備える。好ましくは、自動切替操作部５を作動または停止する手段を備える。さらに好ましくは、２つ以上の光源は、照明器具本体２に設けられた蛍光ランプ３と、前記照明器具本体２の周縁にあって、前記照明器具本体２を取り付ける取付面に垂直な方向を照射する下向き発光ダイオード７と、照明器具本体２の周縁にあって、照明器具本体２の周縁から外側の取付面を照射する斜め上向き発光ダイオード８と、を含み、それぞれ独立して点灯する点灯制御装置６を備える。【選択図】図１
2009076214.tif 000002
【特許請求の範囲】
【請求項１】
２つ以上の光源と、
前記２つ以上の光源を、２以上の異なる発光態様で点灯する操作手段と、
所定の時間経過ごとに、前記２以上の異なる発光態様に含まれる複数の発光態様に順次切り替えて、前記２つ以上の光源を点灯させる自動切替手段と、
を備えることを特徴とする照明器具。
【請求項２】
前記操作手段は、前記自動切替手段を作動または停止する手段を備えることを特徴とする請求項１に記載の照明器具。
【請求項３】
前記操作手段は、前記２以上の異なる発光態様のいずれかに発光させる操作が行われた場合に、前記自動切替手段の動作を停止することを特徴とする請求項２に記載の照明器具。
【請求項４】
前記自動切替手段が作動している間に、前記２以上の異なる発光態様のいずれかに発光させる操作が行われた場合に、前記自動切替手段の動作を停止したのち、所定の時間に前記自動切替手段を停止する操作が行われない場合は、前記自動切替手段の動作を再開することを特徴とする請求項３に記載の照明器具。
【請求項５】
前記２つ以上の光源は、発光ダイオードを含み、
前記操作手段は、前記発光ダイオードの光量が異なる発光態様を選択する手段を備える
ことを特徴とする請求項１ないし４のいずれか１項に記載の照明器具。
【請求項６】
前記２つ以上の光源は、複色光の発光ダイオードを含み、
前記操作手段は、前記複色光の発光ダイオードの異なる発光色の発光態様を選択する手段を備える、
ことを特徴とする請求項１ないし５のいずれか１項に記載の照明器具。
【請求項７】
前記２つ以上の光源は、蛍光ランプ、白熱ランプ、ハロゲンランプまたは発光ダイオードのいずれかを含むことを特徴とする請求項１ないし６のいずれか１項に記載の照明器具。
【請求項８】
前記２つ以上の光源は、蛍光ランプ、白熱ランプ、ハロゲンランプまたは発光ダイオードのうち、２種類以上を含むことを特徴とする請求項１ないし６のいずれか１項に記載の照明器具。
【請求項９】
前記２つ以上の光源は、
照明器具本体に設けられた蛍光ランプと、
前記照明器具本体の周縁にあって、前記照明器具本体を取り付ける取付面に垂直な方向を照射する下向き発光ダイオードと、前記照明器具本体の周縁にあって、該照明器具本体の周縁から外側の前記取付面を照射する斜め上向き発光ダイオードと、
を含むことを特徴とする請求項１ないし８のいずれか１項に記載の照明器具。
【請求項１０】
前記操作手段は、前記斜め上向き発光ダイオードと前記下向き発光ダイオードを、それぞれ独立して点灯する手段を備えることを特徴とする請求項９に記載の照明器具。
【発明の詳細な説明】
【技術分野】
【０００１】
本発明は、照明器具に関する。
【背景技術】
【０００２】
近年、大型量販店では、家庭電化機器などの商品接客説明を積極的に行う傾向が少なく、販売ＰＯＰや販促物による商品アピールが多くなってきており、家庭電気機器の通常動作とは異なるデモンストレーション用動作で販促物を展示している（例えば、特許文献１参照）。
【０００３】
また最近は、照明器具は点灯と消灯の切替をリモコンで操作でき、主光源に蛍光ランプ、補助光源に発光ダイオードを備えたタイプが開発されている。さらに主光源が蛍光ランプの場合は調光もでき幾つかの照明のパターンがある（特許文献２、特許文献４参照）。また、補助光源の発光ダイオードは点光源であり照明輝度が小さいので、発光飾りを用いて明るさを得られるようにしている（特許文献３参照）。
【０００４】
【特許文献１】特開２００４−３３３０７９号公報
【特許文献２】特開２００６−１００１２９号公報
【特許文献３】特開２００６−１２７８８５号公報
【特許文献４】特開２００６−１９０６５７号公報
【発明の開示】
【発明が解決しようとする課題】
【０００５】
関連する技術の照明器具では、照明のパターンが少なく照明器具の扱いが容易であり、冷蔵庫や調理器具などの複雑な機能を備える家庭電化機器と異なり、商品アピールの必要性は少なかった。また、様々な場面に合わせて多様な光の演出効果（照明のパターン）を奏することはなかった。
【０００６】
１つの照明器具で多様な照明のパターンを持ち合わせることは、居室の活用の仕方やインテリアに合わせて求められる多様な照明機能に対応できることを意味する。
【０００７】
しかしながら、照明のパターンが増えることで照明器具の扱いが難しくなり、家庭電化機器と同様に、販促物を展示する必要性が高くなった。さらに、他の家庭電化機器と商品の機能性が異なるため、多様な照明のパターンを実際に体感することで機能性を消費者に理解して頂くことが望ましい。
【０００８】
本発明はこうした状況に鑑みてなされたものであり、複数の異なる発光態様で光の演出効果が可能な照明器具において、販売店用商品見本としても機能するサンプルモードを備えた照明器具を提供することを目的とする。
【課題を解決するための手段】
【０００９】
本発明の第１の観点に係る照明器具は、２つ以上の光源と、
前記２つ以上の光源を、２以上の異なる発光態様で点灯する操作手段と、
所定の時間経過ごとに、前記２以上の異なる発光態様に含まれる複数の発光態様に順次切り替えて、前記２つ以上の光源を点灯させる自動切替手段と、
を備えることを特徴とする。
【００１０】
さらに、前記操作手段は、前記自動切替手段を作動または停止する手段を備えることを特徴とする。
【００１１】
好ましくは、前記操作手段は、前記２以上の異なる発光態様のいずれかに発光させる操作が行われた場合に、前記自動切替手段の動作を停止することを特徴とする。
【００１２】
好ましくは、前記自動切替手段が作動している間に、前記２以上の異なる発光態様のいずれかに発光させる操作が行われた場合に、前記自動切替手段の動作を停止したのち、所定の時間に前記自動切替手段を停止する操作が行われない場合は、前記自動切替手段の動作を再開することを特徴とする。
【００１３】
特に、前記２つ以上の光源は、発光ダイオードを含み、
前記操作手段は、前記発光ダイオードの光量が異なる発光態様を選択する手段を備える
ことを特徴とする。
【００１４】
また特に、前記２つ以上の光源は、複色光の発光ダイオードを含み、
前記操作手段は、前記複色光の発光ダイオードの異なる発光色の発光態様を選択する手段を備える、
ことを特徴とする。
【００１５】
さらに、前記２つ以上の光源は、蛍光ランプ、白熱ランプ、ハロゲンランプまたは発光ダイオードのいずれかを含むことを特徴とする。
【００１６】
またさらに、前記２つ以上の光源は、蛍光ランプ、白熱ランプ、ハロゲンランプまたは発光ダイオードのうち、２種類以上を含むことを特徴とする。
【００１７】
好ましくは、前記２つ以上の光源は、
照明器具本体に設けられた蛍光ランプと、
前記照明器具本体の周縁にあって、前記照明器具本体を取り付ける取付面に垂直な方向を照射する下向き発光ダイオードと、前記照明器具本体の周縁にあって、該照明器具本体の周縁から外側の前記取付面を照射する斜め上向き発光ダイオードと、
を含むことを特徴とする。
【００１８】
なお、好ましくは、前記操作手段は、前記斜め上向き発光ダイオードと前記下向き発光ダイオードを、それぞれ独立して点灯する手段を備えることを特徴とする。
【発明の効果】
【００１９】
本発明の照明器具によれば、複数の異なる発光態様で光の演出が可能な照明器具において、販売店用商品見本としても機能するサンプルモードを備えた照明器具を提供することができる。
【発明を実施するための最良の形態】
【００２０】
以下、この発明の実施の形態について図面を参照しながら詳細に説明する。なお、図中同一または相当部分には同一符号を付し、その説明は繰り返さない。
【００２１】
（実施の形態１）
本発明の実施の形態１は、２つ以上の光源を２以上の異なる発光態様で点灯する照明器具を対象としており、蛍光ランプと発光ダイオードを備えた照明器具を対象として説明する。図１は、本発明の実施の形態１に係る照明器具１の構成例を示す斜視図である。図２は、図１の照明器具１の断面図である。
【００２２】
照明器具１は、照明器具本体２、蛍光ランプ３、点灯回路４、飾り枠１０、外装１１および発光ユニット１２を備える。蛍光ランプ３、点灯回路４、飾り枠１０、外装１１および発光ユニット１２は、照明器具本体２の筐体に固定されている。図１の例では、照明器具１は、大小２つの円形の蛍光ランプ３を備え、発光ユニット１２を照明器具本体２の周縁に等間隔に３ヵ所に配置する。
【００２３】
照明器具１は、天井面または壁面などの取付面２０に、フックを兼ねたコネクタ１７で取り付けられる。照明器具本体２と取付面２０の間に、照明器具１を安定させるために、スペーサ１８が介在する。照明器具１はコネクタ１７を介して電力線に接続し、例えば１００Ｖの交流電力が供給される。点灯回路４は電力線に接続し、蛍光ランプ３および発光ユニット１２を点灯させる。
【００２４】
図１に示すように、照明器具１は遠隔制御受信部１５を備え、照明器具本体２とは別に、点灯制御装置６を備える。点灯回路４は、蛍光ランプ３および発光ユニット１２の点灯、消灯、調光などを制御する。また、自動切替操作部５は、サンプルモードの作動と停止を操作する。
【００２５】
点灯制御装置６は、操作ボタン６ａと、例えば、微弱電波や赤外線などを送信する遠隔制御送信部６ｂと、ディスプレイ６ｃとを備える。点灯制御装置６から送信された信号は遠隔制御受信部１５へ受信され、例えば、点灯回路４に内蔵されたマイコン制御部（図示せず）に入力される。マイコン制御部のメモリ（図示せず）に、あらかじめ複数の発光態様に割り当てたビットパターンを記憶しておく。点灯制御装置６から受信した信号に合わせて発光態様のビットパターンの信号を点灯回路４の駆動回路に入力することで、点灯回路４の点灯制御をすることができる。自動切替操作部５についても、発光態様に割り当てられたビットパターンの信号を順次を駆動回路（図示せず）に入力することによって、サンプルモードが制御される。マイコン制御部に代えて、論理回路またはその半導体集積回路などを用いることができる。
【００２６】
点灯回路４で回路制御し、光源の点灯と消灯および調光の組み合わせにより複数の発光態様（照明パターン）で点灯できる状態を通常モードという。前記サンプルモードは、点灯回路４で制御される照明パターンを、自動切替操作部５により順次切り替えて、複数の照明パターンを所定時間経過毎に所定順序で自動で切り替えるモードである。サンプルモードの作動と停止は、点灯制御装置６から遠隔制御受信部１５へ、操作ボタン６ａを用いて送信した信号により自動切替操作部５の制御が行われることで切り替えできる。
【００２７】
外装１１は、光を透過する材質、例えばアクリルなどで形成される。蛍光ランプ３は、外装１１を通して光を照射し、室内全体を照明する。
【００２８】
発光ユニット１２はそれぞれ、下向き発光ダイオード（以下、下向きＬＥＤという）７と、斜め上向き発光ダイオード（以下、斜めＬＥＤという）８とを備える。下向きＬＥＤ７と斜めＬＥＤ８は、１つの放熱板９に取り付けられている。下向きＬＥＤ７は、取付面２０に対して垂直方向Ｄに光りを照射する。斜めＬＥＤ８は、照明器具１の外周から外側の取付面２０の方向Ｃに光を照射する。
【００２９】
図３は、図１の照明器具１における発光ユニット１２の照射方向を説明する図である。下向きＬＥＤ７は、照明器具１が天井に取り付けられた場合、天井から下方向に光を照射する。すなわち、下向きＬＥＤ７はダウンライトになっている。斜めＬＥＤ８は、照明器具１の周縁から外側の取付面２０の方向に光を照射する。すなわち、斜めＬＥＤ８の光は取付面２０で反射する間接照明になっている。
【００３０】
照明器具１は、蛍光ランプ３、下向きＬＥＤ７および斜めＬＥＤ８を備える。すなわち、室内全体の照明と、ダウンライトおよび間接照明それぞれに別の光源を有する。したがって、全体の照明、ダウンライトおよび間接照明を独立して点灯、消灯、および調光を行うことができる。そして、それらの組み合わせを変えることによって、さまざまな演出効果を有する照明を行わせることができる。
【００３１】
発光ユニット１２に備えた下向きＬＥＤ７および斜めＬＥＤ８の発光ダイオードは、点灯制御装置６により光量を選択し、調光ができるようにしてもよい。
【００３２】
発光ユニット１２に備えた下向きＬＥＤ７および斜めＬＥＤ８の発光ダイオードは、複色光の発光ダイオードを用いて、点灯制御装置６で発光色を選択し、色合いを調整できるようにしてもよい。
【００３３】
発光ユニット１２に備えた下向きＬＥＤ７および斜めＬＥＤ８の発光ダイオードは、単色光、複色光のどちらでもよく、両方用いてもよい。
【００３４】
点灯制御装置６を使用することにより、自動切替操作部５のサンプルモードの作動と停止の操作だけでなく、サンプルモードの設定もできるようにしてもよい。
【００３５】
前記サンプルモードの設定は、点灯制御装置６にある操作ボタン６ａに、特に、自動切替操作専用のボタンを設けず、通常の操作選択で用いる操作ボタン６ａの特定操作により、サンプルモードの設定ができるようにしてもよい。
【００３６】
サンプルモードは、順次切り替えを、照明パターンの幾つかもしくは全部を選択できるようにしてもよい。
【００３７】
サンプルモードは、順次切り替えの所定時間毎の時間を設定できるようにしてもよい。
【００３８】
サンプルモードは、順次切り替えを、所定の順序もしくはランダムに設定できるようにしてもよい。
【００３９】
サンプルモードの設定において、自動切替で点灯され、設定された照明のパターンが全て点灯した後、サンプルモードが終了し、指定した１種類の照明パターンで点灯もしくは消灯するように設定してもよい。
【００４０】
サンプルモードの設定において、自動切替で点灯され、設定された照明パターンが全て点灯した後、繰り返しサンプルモードが開始されるように設定してもよい。
【００４１】
サンプルモード中に、点灯制御装置６を操作し、点灯回路４の制御を行う信号が遠隔制御受信部１５に受信されると、サンプルモードが解除され停止し、サンプルモードを作動する操作を行わない場合には、通常モードとして機能するように設定してもよい。
【００４２】
また、サンプルモード中に、点灯制御装置６を操作し、点灯回路４の制御を行う信号が遠隔制御受信部１５に受信されると、サンプルモードが一旦解除され、通常モードとして操作できるが、一定時間遠隔制御受信部１５への信号受信が無い場合には、もとのサンプルモードへ戻るように設定してもよい。
【００４３】
本実施の形態１では、蛍光ランプ３の室内全体の照明、下向きＬＥＤ７のダウンライトおよび斜めＬＥＤ８の間接照明がある。各々の照明について、さらに各々の照明に設けた光源について独立して、点灯、消灯、および調光、発光ダイオードの場合は複色光の発光ダイオードにすることで色合いの調整ができることで、複数の異なる発光態様で光の演出が可能となる。
【００４４】
図４は、本発明の実施の形態１に係る複数の異なる発光態様を示す例である。図４（ａ）は、照明パターンと、サンプルモードの例を示す。図４（ｂ）は、図４（ａ）中にある照明パターンの発光種別を表す。図４（ｃ）は、図４（ａ）中にあるサンプルモードの記号を表し、記号Ｓは次の発光態様へ切り替えるまでの時間が短いことを示し、記号Ｌは時間が長いことを示す。図４（ｄ）は、図４（ａ）中にある光源の記号を示しており、Ｘは蛍光ランプ３、Ｙは下向きＬＥＤ７、Ｚは斜めＬＥＤ８を表す。
【００４５】
図４に示すように、光源の点灯、消灯、調光および色合いの調整ができる発光種別の組合せにより、複数の照明パターンが考えられ、パターン１ないし２０は組合せの例である。また、ＩないしＶはサンプルモードにおける照明パターンの組合せの一例であり、示したものがすべてではなく、これらに限定されるものではない。
【００４６】
照明パターンでは、調光は、最大明るさを示す点灯の状態と、消灯の状態の間にある一つの光量を意味しており、色合いの調整については、当初の発光色とは異なる、ある一つの発光色を意味する。
【００４７】
サンプルモードでは、調光は、点灯と消灯の間の状態のある一つの光量でもよいが、点灯から消灯への光量の変化、もしくは、消灯から点灯への光量の変化を表すものであってもよい。また、色合いの調整については、当初の発光色とは異なる、ある一つの発光色であってもよいが、順次色合いが変化するものであってもよい。
【００４８】
さらに、図４に示すように、複数のサンプルモードのコースを設定しておいて、点灯制御装置６でサンプルモードのコースを選択できるようにしてもよい。また、自動切替操作部５の制御により、サンプルモードの順次切り替えを、所定の順番で順序よくもしくはランダムに切り替えるように設定したり、切り替え時間を短い時間と長い時間の２種類設定し、モード毎に照明時間を調整できるように構成してもよい。なお、サンプルモードを１回もしくは連続操作を選択できるようにしてもよい。
【００４９】
本実施の形態１では、照明器具１にサンプルモードを備えたことで、販売する際に接客することなく、サンプルモードを顧客に体感してもらうことで、照明器具１の機能を理解してもらうことができる。さらに、顧客に自由に作動確認を行ってもらうことができる。
【００５０】
また、実際の商品である照明器具１にサンプルモードを備えることで、別途、販売店用商品見本を用意することなく、商品を見本として用いることができる。
【００５１】
実施の形態１では、照明器具１の２つ以上の光源を、蛍光ランプと発光ダイオードの２種類を用いて説明したが、本発明は、蛍光ランプ、白熱ランプ、ハロゲンランプ、または発光ダイオードなどのうち２種類以上の光源を備え、複数の異なる態様で発光が可能な照明器具に適用することができる。
【００５２】
本実施の形態１では、蛍光ランプ３が円形で、照明器具本体２が円形の場合について説明したが、蛍光ランプ３は円形に限らず、直管、Ｕ字管または連結管などその他の形状でもよく、照明器具本体２は、正方形、長方形、多角形、楕円形その他の形状であっても、本発明の思想の範囲を超えることなく、本発明の形態を構成することができる。
【００５３】
（実施の形態２）
実施の形態２は、光源の種類が１種類であり、光源の数が複数ある場合で、その他構成については実施の形態１と同様である。図５は、本発明の実施の形態２に係る照明器具１の構成例を示す斜視図である。図６は、図５の照明器具１の断面図である。
【００５４】
照明器具１は、照明器具本体２、点灯回路４、飾り枠１０、外装１１、発光ユニット１２および発光ダイオード１６を備える。点灯回路４、飾り枠１０、外装１１、発光ユニット１２および発光ダイオード１６は、照明器具本体２の筐体に固定されている。図５の例では、照明器具１は、照明器具本体２に複数の発光ダイオード１６を備え、発光ユニット１２を照明器具本体２の周縁に等間隔に３ヵ所に配置する。
【００５５】
図５に示すように、照明器具１は遠隔制御受信部１５を備え、照明器具本体２とは別に、点灯制御装置６を備える。点灯制御装置６は、操作ボタン６ａと、例えば、微弱電波や赤外線などを送信する遠隔制御送信部６ｂと、ディスプレイ６ｃとを備える。点灯制御装置６から送信された信号は遠隔制御受信部１５へ受信され、点灯回路４および自動切替操作部５を制御する。点灯回路４は、発光ダイオード１６および発光ユニット１２の点灯、消灯、および調光を制御する。自動切替操作部５は、サンプルモードの作動と停止を操作する。
【００５６】
照明器具１は、発光ダイオード１６、下向きＬＥＤ７および斜めＬＥＤ８を備える。点灯制御装置６は、発光ダイオード１６を点灯する全体の照明、ダウンライトおよび間接照明を独立して点灯、消灯、および調光を行うことができる。
【００５７】
さらに、発光ダイオード１６、発光下向きＬＥＤ７および斜めＬＥＤ８の全部またはいずれかを複色光の発光ダイオードにすると、色合いの調整も可能となり、照明に備えた各々の光源について点灯、消灯、調光および色合いの調整を行うことができる。
【００５８】
なお、全体の照明である発光ダイオード１６は複数の光源からなり、点灯、消灯、調光および色合いの調整だけでなく、各々の光源の状態の組合せにより、照明器具内の点灯位置を選択したり照明器具全体の光量を調整することによって、発光態様を変化させることができる。
【００５９】
実施の形態２においても、図４と同様の照明パターンとサンプルモードを設定することができる。例えば、図４の蛍光灯３を発光ダイオード１６に読み替えて、照明パターンとサンプルモードを考えることができる。図５の照明器具１では、多数の発光ダイオード１６を備え、それぞれ点灯または消灯させる様々な照明パターンを設定することができる。実施の形態２においても、自動切替操作部５でそれらの照明パターンから選択して自動的に切り替えて点灯させることによって、サンプルモードの動作を行わせることができる。
【００６０】
本実施の形態２においても、照明器具１にサンプルモードを備えたことで、販売する際に接客することなく、サンプルモードを顧客に体感してもらうことで、照明器具１の機能を理解してもらうことができる。さらに、顧客に自由に作動確認を行ってもらうことができる。また、実際の商品である照明器具１にサンプルモードを備えることで、別途、販売店用商品見本を用意することなく、商品を見本として用いることができる。
【００６１】
なお、光源を発光ダイオードとした場合について説明したが、光源は蛍光ランプ、白熱ランプ、ハロゲンランプなどでもよく、本発明は、複数の光源を備え、点灯位置や点灯数の選択と組み合わせにより複数の異なる態様で発光が可能な照明器具に適用することができる。
【００６２】
実施の形態２では、光源の位置と向きが異なるダウンライトや間接照明などの機能性を有する場合について説明したが、光源が同一平面上でかつ同じ向きにある照明の場合であっても、点灯位置や点灯数により複数の異なるパターンで発光が可能である照明器具に本発明を適用できる。
【００６３】
なお、各実施の形態で説明した照明器具の形状や機能性、照明器具の光源の種類と数および組み合わせについては実施の形態で示したものがすべてではなく、これらに限定されるものではない。
【００６４】
さらに、各実施の形態で説明した照明器具は、天井や柱などに直付けする直付け照明器具でもよく、直付け以外の様々な形態の照明器具、例えば吊り下げ型の照明器具にも適用できることはもちろんである。
【図面の簡単な説明】
【００６５】
【図１】本発明の実施の形態１に係る照明器具の構成例を示す斜視図である。
【図２】図１の照明器具の断面図である。
【図３】図１の照明器具における発光ユニットの照射方向を説明する図である。
【図４】図１の照明器具における複数の異なる発光態様を示す例である。
【図５】本発明の実施の形態２に係る照明器具の構成例を示す斜視図である。
【図６】図５の照明器具の断面図である。
【符号の説明】
【００６６】
１  照明器具
２  照明器具本体
３  蛍光ランプ
４  点灯回路
５  自動切替操作部
６  点灯制御装置（リモコン）
７  下向き発光ダイオード（下向きＬＥＤ）
８  斜め上向き発光ダイオード（斜めＬＥＤ）
９  放熱板
１０  飾り枠
１１  外装
１２  発光ユニット
１５  遠隔制御受信部（リモコン受信部）
１６  発光ダイオード
２０  取付面
【図１】
2009076214.tif 000003
【図２】
2009076214.tif 000004
【図３】
2009076214.tif 000005
【図４】
2009076214.tif 000006
【図５】
2009076214.tif 000007
【図６】
2009076214.tif 000008